(57)【特許請求の範囲】
【請求項１】
給水路を備え、人体局部に対して洗浄水を噴射する人体局部洗浄ノズルであって、
前記給水路に形成され、出口を前記人体局部に指向させたオリフィス部と、
前記オリフィス部の周囲に設けられた空気取入口と、
前記オリフィス部の出口と前記人体局部とを結ぶ軌跡上に設けられたスロート部と、
を有し、
前記スロート部は、前記オリフィス部の出口から噴射された洗浄水に前記空気取入口から吸い込んだ空気を混合して、人体局部に人体が感知できないくらい速い周期でピーク荷重を発生させるとともに、
前記スロート部は、その内周上に、前記洗浄水への空気混合効果を高め前記ピーク荷重を助長し、その周囲よりも径が小さくされた突起、段部あるいは凹凸形状を有し、
前記スロート部の入口から出口までが前記オリフィス部と同一軸線上に配置されるとともに、前記出口が大気に開放されていることを特徴とする人体局部洗浄ノズル。
【請求項２】
請求項１に記載の人体局部洗浄ノズルにおいて、
前記オリフィス部に給水される洗浄水を、前記軌跡を中心軸として旋回させる洗浄水旋回部を有することを特徴とする人体局部洗浄ノズル。
【請求項３】
請求項１または２に記載の人体局部洗浄ノズルにおいて、
前記空気取入口から取り込まれる空気量を可変する可変部を有することを特徴とする人体局部洗浄ノズル。
【請求項４】
請求項３に記載の人体局部洗浄ノズルにおいて、
前記可変部は、前記空気取入口から取り込まれる空気量を、所定周期で変動させることを特徴とする人体局部洗浄ノズル。
【請求項５】
請求項１ないし４いずれか1つに記載の人体局部洗浄ノズルにおいて、
前記オリフィス部を、前記軌跡を中心軸として回転させるオリフィス回転部を有することを特徴とする人体局部洗浄ノズル。
【請求項６】
請求項１ないし５いずれか1つに記載の人体局部洗浄ノズルにおいて、
前記オリフィス部に給水される洗浄水の圧力を、所定周期で変動させる洗浄水圧力変動部を有することを特徴とする人体局部洗浄ノズル。
【請求項７】
請求項１ないし６いずれか1つに記載の人体局部洗浄ノズルを有することを特徴とする人体局部洗浄装置。
【発明の詳細な説明】
【０００１】
【発明の属する技術分野】
本発明は、人体局部の洗浄を行う衛生洗浄装置等に利用される人体局部洗浄ノズルおよびそれを備えた人体局部洗浄装置に関する。
【０００２】
【従来の技術】
特公昭５８―９６８８号公報に示される人体局部洗浄ノズルが、従来より知られている。
この種の従来の人体局部洗浄ノズルの断面図を図１４に示す。同図において、本ノズル１は第１ノズル２およびノズル本体３より構成されている。
【０００３】
このような構成の本ノズル１の第１ノズル２の上流に水圧を加えると、洗浄水は第１ノズル２より噴射され、ノズル本体３に設けられた空洞４を通り、途中で約９０度水流の方向が曲げられて噴射口５より局部に向かって噴射される。この際、第１ノズル２の噴射口６付近には空気吸入口７が設けられているので、温水は空気を吸引し、気泡が混入された状態で噴射口より噴射される。
そのため、局部に衝突する洗浄水の面積が増大し、人体は、たっぷり感のある洗浄を味わうことができた。
【０００４】
【発明が解決しようとする課題】
従来の構成の人体局部洗浄ノズルでは、確かに人体は、たっぷり感のある洗浄を味わうことができるものの、刺激感や洗浄の重みに欠けるのも、また事実であった。
【０００５】
本発明は、かかる従来の課題を解決するもので、たっぷり感があり、しかも、刺激感や洗浄の重みもある洗浄となる人体局部洗浄ノズルおよびこれを備えた人体局部洗浄装置を提供することを目的としている。
【０００６】
【課題を解決するための手段およびその作用・効果】
上記目的を達成するために請求項１の人体局部洗浄ノズルは、給水路を備え、人体局部に対して洗浄水を噴射する人体局部洗浄ノズルであって、前記給水路に形成され、出口を前記人体局部に指向させたオリフィス部と、前記オリフィス部の周囲に設けられた空気取入口と、前記オリフィス部の出口と前記人体局部とを結ぶ軌跡上に設けられたスロート部と、を有し、前記スロート部は、前記オリフィス部の出口から噴射された洗浄水に前記空気取入口から吸い込んだ空気を混合して、人体局部に人体が感知できないくらい速い周期でピーク荷重を発生させるとともに、前記スロート部は、その内周上に、前記洗浄水への空気混合効果を高め前記ピーク荷重を助長し、その周囲よりも径が小さくされた突起、段部あるいは凹凸形状を有し、前記スロート部の入口から出口までが前記オリフィス部と同一軸線上に配置されるとともに、前記出口が大気に開放されていることを特徴とする。
【０００７】
従来の構成では、第１ノズル２より噴射された洗浄水は、ノズル本体３に設けられた空洞４を通り、途中で約９０度水流の方向が曲げられる時に、エネルギーを損失（すなわち洗浄水が減速）する。
しかし、請求項１に記載の人体局部洗浄ノズルによれば、オリフィス部の出口が人体局部を指向しており、オリフィス部の上流に水圧を加えると、オリフィス部の出口から噴射される洗浄水は、何らの障害を受けずに噴射された水圧で人体局部に衝突する。つまり、エネルギーの損失（すなわち洗浄水の減速）がない。したがって、人体は刺激感のある洗浄を味わうことができる。
【０００８】
また、オリフィス部の周囲には空気取入口が設けられており、オリフィス部の出口から洗浄水が噴射されると、オリフィス部の周囲が負圧になるため、空気が吸い込まれる（いわゆる、エジェクタ効果）。このエジェクタ効果により吸い込まれた空気は、オリフィス部の出口から噴射される洗浄水の表面を乱し、スロート部から噴射される洗浄水を、その乱れ具合により細くしたり太くしたりする。この洗浄水の細太の繰り返しは、スロート部から噴射される洗浄水の高速と低速の繰り返しを生じさせ、その速度差の繰り返しによって洗浄水の噴流の疎密の繰り返しが自然的変動として現れる。
【０００９】
このような疎密を繰り返す洗浄水は、特に密の部分で人体にたっぷり感を与える。しかも、その疎密の繰り返しは人体が感知できないくらい速いので、あたかも人体は常に密の状態で洗浄水が衝突しているかのように感じる。
したがって、前述の刺激感のある洗浄とともに、人体は、たっぶり感のある洗浄も味わうことができる。
【００１０】
また、スロート部には、オリフィス部の出口から噴射された洗浄水に前記空気取入口から吸い込んだ空気を混合して、人体局部に人体が感知できないくらい速い周期でピーク荷重を発生させる気液混合促進手段が設けられているため、その変動が更に助長されて洗浄感を高められることになる。
【００１１】
気液混合促進手段は、具体的には例えば図３に示すようなスロート内周上に符号１５ａで示すような突起あるいは段部、凹凸形状を設けることで達成される。気液混合流はスロート部の凹凸形状を通過する際に圧縮・開放作用が働くことで、洗浄水への空気混合効果が高まり高い洗浄力・洗浄感を持つ流れになる。
【００１２】
なお、従来のノズル構成の場合にはスロート部で約９０度の水流屈曲があり、屈曲部分で気液混合水が圧縮・開放され得るが、屈曲部での衝突による流速低下を起こしていた。
本発明のノズル構成ではオリフィス部と人体局部との軌跡上にスロート部が設けられており、かつ気液混合流作用形状が設けられているので、流速の低下がなく、かつ空気混入効果の高い洗浄水が吐出できる。
【００１３】
前記した突起，段部，凹凸形状はスロート部に一体で成形しても、別部品の嵌め込みでも良い。気液混合作用形状はスロート内周の凹凸以外でも良く、軸方向の内周形状変化であれば効果が出やすい。
【００１５】
また、請求項１に記載の人体局部洗浄ノズルによれば、スロート部とオリフィス部とを同一軸上に配置させるため、組立および組立後の検査工程において同一の方向から作業することができ、製造面、検査面等において有利であり、量産性に優れる。
【００１６】
請求項２は、請求項１に記載の人体局部洗浄ノズルにおいて、前記オリフィス部に給水される洗浄水を、前記軌跡を中心軸として旋回させる洗浄水旋回部を有することを特徴とする。
【００１７】
請求項２に記載の人体局部洗浄ノズルによれば、洗浄水旋回部によって、給水された洗浄水が旋回する。その旋回した洗浄水はオリフィス部、スロート部を通過し、円錐状に拡散して噴射される。したがって、局部に衝突する洗浄水の面積が増大し、人体は、よりたっぷり感のある洗浄を味わうことができる。
【００１８】
請求項３は、請求項１または２に記載の人体局部洗浄ノズルにおいて、前記空気取入口から取り込まれる空気量を可変する可変部を有することを特徴とする。
【００１９】
請求項３に記載の人体局部洗浄ノズルによれば、可変部により、空気取り入れ口から取り込まれる空気量が可変する。取り込まれる空気量が可変すると、洗浄水は、その乱れ具合が大きくなり、疎密差が大きく現れる。したがって、人体は、より刺激感のある洗浄を味わうことができる。
【００２０】
請求項４は、請求項３に記載の人体局部洗浄ノズルにおいて、前記可変部は、前記空気取入口から取り込まれる空気量を、所定周期で変動させることを特徴とする。
【００２１】
請求項４に記載の人体局部洗浄ノズルによれば、可変部により、空気取入口から取り込まれる空気量が所定周期で変動するため、洗浄水の乱れが周期的に発生する。そのため、洗浄水の疎密が周期的となり、人体は刺激感のある洗浄を安定して味わうことができる。
【００２２】
請求項５は、請求項１ないし４に記載の人体局部洗浄ノズルにおいて、前記オリフィス部を、前記軌跡を中心軸として回転させるオリフィス回転部を有することを特徴とする。
【００２３】
請求項５に記載の人体局部洗浄ノズルによれば、オリフィス回転部により、オリフィス部を、軌跡を中心軸として回転させる。オリフィス部が軌跡を中心軸として回転すると、洗浄水は円錐状を描くように噴射される。したがって、局部に衝突する洗浄水の面積が増大し、人体は、よりたっぷり感のある洗浄を味わうことができる。
【００２４】
請求項６は、請求項１ないし５に記載の人体局部洗浄ノズルにおいて、前記オリフィス部に給水される洗浄水の圧力を、所定周期で変動させる洗浄水圧力変動部を有することを特徴とする。
【００２５】
請求項６に記載の人体局部洗浄ノズルによれば、洗浄水圧力変動部によりオリフィス部に給水される洗浄水の圧力が所定周期で変動する。そのため、噴射される洗浄水は、オリフィス部、スロート部での自然的変動に加え、洗浄水圧力変動部により強制的変動により乱される。したがって、人体は、より刺激感のある洗浄を味わうことができる。
【００２６】
請求項７は、給水路を備え、人体局部に対して洗浄水を噴射する人体局部洗浄ノズルであって、前記給水路に形成され、出口を前記人体局部に指向させたオリフィス部と、共振室と、前記オリフィス部の出口と前記人体局部とを結ぶ軌跡上に設けられたスロート部と、を有することを特徴とする。
【００４８】
【発明の実施の形態】
以下、本発明の実施の形態を添付図面に基づいて説明する。
【００４９】
図１は、本発明の一実施の形態を示す人体局部洗浄ノズルの概略斜視図、図２は、人体局部洗浄ノズルの先端の断面図であり、８は洗浄水が給水される給水路、１０は給水路８から給水された洗浄水がオリフィス部１２（後述）へ進路を変更させるための給水室、１２は洗浄水の流速を高めるためのオリフィス部、１３は空気を吸引するための空気吸引部、１３Ａは空気吸引部１３の先端が接続されたオリフィス部の周囲に設けられた空気取入口、１５はスロート部、である。
ここで、オリフィス部１２の径をφ１．３ｍｍ、スロート部１５の径をφ２．３ｍｍ（すなわち、オリフィス部１２の出口の断面積Ｓ１とスロート部１５の断面積Ｓ２との面積比Ｓ２／Ｓ１は３．１程度）となるように設定している。
また、スロート部１５は、オリフィス部１２から肛門ａまたはビデｂに至る軌跡Ｘ、Ｙ上に配置されている。なお、図２に示す実施例では、オリフィス部１２とスロート部１５とは同一軸上に配置されている。
【００５０】
なお、スロート部１５の内周には、図３に示すような突起１５ａが形成されている。
【００５１】
図４（ａ）、（ｂ）は、給水路８と給水室１０との配置を説明するための説明図であり、図２における肛門ａまたはビデｂの方向から見たものである。
このうち、図４（ａ）は、給水路８が給水室１０の中心に向かって接続されているため、給水路８から給水された洗浄水は、軌跡ＸもしくはＹに沿ってオリフィス部１２に向かう。
【００５２】
一方、図４（ｂ）は、給水路８が給水室１０の中心から偏心して接続されている（つまり、給水路８と給水室１０とが洗浄水旋回部を構成する）ため、給水路８から給水された洗浄水は、軌跡ＸもしくはＹに対して旋回してオリフィス部１２に向かう。その旋回した洗浄水はオリフィス部１２、スロート部１５を通過し、円錐状に拡がって噴射される。
したがって、局部に衝突する洗浄水の面積が増大し、人体は、よりたっぷり感のある洗浄を味わうことができる。
【００５３】
図５は、図４（ａ）に示す実施例を試作し洗浄水を吐水させ、その吐水させた洗浄水を該試作品から６０ｍｍ離して配置したデジタル式プッシュプルゲージ（アイコーエンジニアリング製）にて洗浄水の荷重（押し力）を５００ＨＺのサンプリング周期で約２秒測定したデータであり、横軸は時間（秒）、縦軸は洗浄水の荷重（ｍＮ）を示す。
【００５４】
図５に示すように、試作したノズルから噴射させると、５００ｍＮ以上でピーク（最大）荷重値をしめす洗浄水が発生することが確認された。また、十数Ｈｚの周期でピークが発生することも確認された。これは、オリフィス部１２周囲の空気取入口１３Ａで洗浄水に混入される空気の混入量が、前述した気液混合手段の作用によって速い周期で変化されるため、スロート部１５から噴射される洗浄水の表面を乱して洗浄水径を大小変化させ、洗浄水の噴射速度を高低変化させることになる。この洗浄水噴射速度の差が速い周期で繰り返されることにより、洗浄水の噴流の粗密が変化するので、洗浄水のピーク荷重を速い周期で出現させることができる。
【００５５】
図６は、オリフィス部１２の断面積Ｓ１とスロート部１５の断面積Ｓ２との面積比Ｓ２／Ｓ１と、噴出された洗浄水が局部に当たった時のピーク荷重との関係を示したものである。
ここで、面積比Ｓ２／Ｓ１＝３．１程度で５００ｍＮ以上のピーク荷重が実験的に確かめられている。
【００５６】
以上の構成において、次に本実施形態の作用効果を説明する。
オリフィス部１２の上流に水圧を加えると、オリフィス部１２の出口から噴射される洗浄水（流速１２ｍ／ｓ程度）は、何らの障害を受けずに噴射された水圧で人体局部に衝突する。つまり、エネルギーの損失（すなわち洗浄水の減速）がない。
したがって、人体は刺激感のある洗浄を味わうことができる。
【００５７】
また、オリフィス部１２の出口から洗浄水が噴射されると、オリフィス部１２の周囲が負圧になるため、オリフィス部１２の周囲に設けられた吸気取入口１３Ａから空気が吸い込まれる（いわゆる、エジェクタ効果）。このエジェクタ効果により吸い込まれた空気は、オリフィス部１２の出口から噴射される洗浄水の表面を乱し、スロート部１５から噴射される洗浄水を、その乱れ具合により細くしたり太くしたりする。この洗浄水の細太の繰り返しは、スロート部から噴射される洗浄水の高速と低速の繰り返しを生じさせ、その速度差の繰り返しは、洗浄水の噴流の疎密の繰り返しとして現れる。
このような疎密を繰り返す洗浄水は、特に密の部分で人体に、たっぷり感を与える。しかも、その疎密の繰り返しは人体が感知できないくらい速いので、あたかも人体は常に密の状態で洗浄水が衝突しているかのように感じる。
したがって、人体は、前述の刺激感のある洗浄とともに、たっぶり感のある洗浄を味わうことができる。
【００５８】
図７は、図１の人体局部洗浄ノズルを備えた人体局部洗浄装置の水回路を示したものである。
水道源側（上流側）から、２０は給水接続部、２２は逆流防止のための逆止弁、２４は給水された洗浄水中の異物を除去するストレーナ、２６は給水圧の変動によらず下流を一定の圧力に保つ調圧弁、３０は主流路電磁弁、３２は胴体洗浄電磁弁、３４は下流の圧力が上昇した場合にその圧力上昇を抑えるためのリリーフ弁、３６は給水された洗浄水を加熱する１．１Ｌの貯湯が可能な貯湯式の熱交換器、３８は真空破壊弁、４０は流調弁（絞り弁）、４２は切替弁、４４は図１の人体局部洗浄ノズルを備えた伸縮自在なノズル本体（先端に図４（ａ）、（ｂ）に示す実施例を各１つずつ備え、図４（ａ）を肛門洗浄用、図４（ｂ）をビデ洗浄用として使用する）、４６はノズル伸縮駆動モータである。
【００５９】
なお、ここで、流調弁（絞り弁）４０、切替弁４２を説明のため、別々のブロックとしているが、一体で構成することも可能であり、以下の説明では一体として流調切替弁４０、４２として説明する。
この場合、流調切替弁４０、４２には、１つの流入路に対し３つの流出路を備えており、かつ内蔵する弁は、流入路と流出路の連通面積を回転角度により、選択的に可変かつ止水可能な構成としている。
また、弁はステッピングモータの駆動力により回転可能としている。
【００６０】
図８は、ノズル本体４４の伸縮状態を説明するための説明図である。
図８において、収納状態にあるノズル本体４４を実線で示し、伸出状態にあるノズル本体４４を破線で示す。
また、ａ、ｂはそれぞれ人体局部である肛門、ビデの洗浄位置であり、Ａ、Ｂはそれぞれ肛門ａ、ビデｂに対して洗浄水を噴射するためのノズル本体の伸出位置であり、Ｘ、Ｙはそれぞれオリフィス部と肛門ａ、ビデｂとを結ぶ軌跡を示す。
【００６１】
なお、図８において、矢印で示すように、伸出位置Ａ、Ｂにおいてノズル本体４４を微少ストロークで往復移動させることにより、局部の洗浄範囲を拡大できると同時に、局部に衝突する洗浄水の位置が変更することによって刺激感のある洗浄を味わうことができる。
【００６２】
なお、ノズル本体４４の微少ストロークでの往復移動の周期は、任意に設定・変更可能であり、噴射される洗浄水は、オリフィス部、スロート部によって疎密が繰り返される自然的変動に加え、ノズル本体４４の往復移動により強制的変動により乱される。
したがって、人体は、より刺激感のある洗浄を味わうことができる。
【００６３】
以上の構成において、人体に対して洗浄水を噴射するまでに人体局部洗浄装置の水回路を構成する部位の動作を図９に示すタイミングチャートを用いて説明する。
【００６４】
まず、待機状態では、着座ＳＷ（着座スイッチ）、脱臭、洗浄ＳＷ（洗浄スイッチ）、主流路電磁弁３０、胴体洗浄電磁弁３２はＯＦＦ状態（非動作状態）にあり、ノズル本体４４は収納状態、流調切替弁４０、４２は、流入路と３つの流出路が全て連通された位置（＝ＳＣ）にある。
【００６５】
待機状態において、人体が便座（図示しない）に着座すると、着座ＳＷ（着座スイッチ）がＯＮ状態になり、人体局部洗浄機能のインターロックが解除されると同時に脱臭機能（図示しない）がＯＮ状態（動作状態）となる。
次に、肛門への洗浄水の噴射要求としてのおしりスイッチ（図示しない）が操作されると、主流路電磁弁３０がＯＮ状態（水路開放状態）となり、収納状態にあるノズル本体４４から洗浄水が噴射される。この噴射された洗浄水は対面に配設された反射板４５に反射し、ノズル本体４４を洗浄する（＝前洗浄）。
前洗浄後、熱交換器３８に籠もった圧力を開放する（＝圧抜き）。
圧抜き後、流調切替弁４０、４２は止水位置に移動し（＝流調移動）する。
流調移動後、ノズル本体４４が伸出するが、その際に胴体洗浄電磁弁３２がＯＮ状態（水路開放状態）となり伸出中のノズル本体４４の表面を洗浄する（＝伸出（胴体洗浄））。
【００６６】
伸出（胴体洗浄）後、実際の人体局部の洗浄するため、主流路電磁弁３０をＯＮ状態とし、流調切替弁４０、４２による水路開放を徐々に進行させる（＝ソフトスタート）。
ソフトスタート後、人体の好みの水勢による局部洗浄をする（＝本洗浄）。
なお、噴射される洗浄水の水勢は、流調切替弁４０、４２により強弱が変更可能になっているが、最強（最大流量）が１Ｌ／ｍｉｎ以下となるよう設計されている。そのため、人体局部洗浄ノズルからは、６０秒以上温水を連続的に噴射することができる。
【００６７】
洗浄水の止水要求としての止スイッチ（図示しない）が操作されると、主流路電磁弁３０がＯＦＦ状態（水路閉鎖状態）となり、洗浄水の噴射が停止するが、その際、ノズル本体４４、流調切替弁４０、４２はそのままの状態を保持し、熱交換器３６に籠もった圧力を開放させる（＝圧抜き）。
圧抜き後、流調切替弁４０、４２を止水位置に移動させる（＝流調移動）。
流調移動完了後、ノズル本体４４を収納位置へ収納すると同時に胴体洗浄電磁弁３２をＯＮ状態とし、ノズル本体４４の表面を洗浄する（＝収納（胴体洗浄））。
【００６８】
収納（胴体洗浄）後、流調切替弁４０、４２をＳＣ位置に移動させ、主流路電磁弁３０がＯＮ状態（水路開放状態）となり、収納状態にあるノズル本体４４から洗浄水が噴射される。この噴射された洗浄水は対面に配設された反射板４５に反射し、ノズル本体４４を洗浄する（＝後洗浄）。
【００６９】
後洗浄後、流調切替弁４０、４２を原点位置に移動させ（＝原点合わせ）、さらに、流調切替弁４０、４２をＳＣ位置に移動させる（＝流調移動）。
ここで、人が離座すると、着座ＳＷ（着座スイッチ）がＯＦＦ状態となり、脱臭機能が停止するのである。
【００７０】
図１０は、請求項３、４に対応する実施例であり、空気吸引部１３から取り込まれる空気量を可変する可変部１８を備えたものである。前述した実施例と同じ構成については、図に同じ符号を付している。また、スロート部１５の内周には、図３に示すような突起１５ａが形成されている。この可変部１８は、モータを備え、このモータにより高速（５０ＨＺ程度が望ましい）で空気吸引部１３を開閉し、空気吸引部１３から取り込まれる空気量を可変制御している。
【００７１】
この実施例によれば、可変部１８が開閉駆動することにより、空気吸引部１３から取り込まれる空気量が可変する。取り込まれる空気量が可変すると、洗浄水は、その乱れ具合が大きくなり、疎密差が大きく現れる。
したがって、人体は、より刺激感のある洗浄を味わうことができる。
【００７２】
なお、可変部１８による空気量の可変周期は、任意に設定・変更可能であり、噴射される洗浄水は、オリフィス部、スロート部での自然的変動に加え、可変部１８により強制的変動により乱される。
したがって、人体は、より刺激感のある洗浄を味わうことができる。
【００７３】
図１１は、請求項５に対応する実施例であり、オリフィス部１２を、軌跡ＸもしくはＹを中心軸として回転させるオリフィス回転部１９を備えたものである。前述した実施例と同じ構成については、図に同じ符号を付している。また、スロート部１５の内周には、図３に示すような突起１５ａが形成されている。このオリフィス回転部１９は、モータを備え、このモータにより軌跡を中心軸としてノズルヘッドを回転させ、軌跡上に配設されたオリフィス部１２の出口を、軌跡を中心軸として回転させるものである。
【００７４】
この実施例によれば、オリフィス回転部１９により、オリフィス部１２を、軌跡ＸもしくはＹを中心軸として回転させる。オリフィス部１２が軌跡を中心軸として回転すると、そこから吐水される洗浄水は円錐状に拡がって噴射される。
したがって、局部に衝突する洗浄水の面積が増大し、人体は、よりたっぷり感のある洗浄を味わうことができる。
【００７５】
なお、オリフィス回転部１９によるオリフィス部１２の回転周期は、任意に設定・変更可能であり、噴射される洗浄水は、オリフィス部、スロート部での自然的変動に加え、オリフィス回転部１９により強制的変動により乱される。
したがって、人体は、より刺激感のある洗浄を味わうことができる。
【００７６】
図１２は、請求項６に対応する実施例であり、オリフィス部１２に給水される洗浄水の圧力を、所定周期で変動をさせる洗浄水圧力変動部４８を備えたものである。前述した実施例と同じ構成については、図に同じ符号を付している。また、スロート部１５の内周には、図３に示すような突起１５ａが形成されている。この洗浄水圧力変動部４８は、電磁コイルとプランジャーによって構成される公知のプランジャーポンプを備え、このプランジャーポンプの駆動により洗浄水に高い圧力が周期的に加えられるのである。
【００７７】
この実施例によれば、洗浄水圧力変動部４８により、オリフィス部１２に給水される洗浄水の圧力が所定周期で変動する。そのため、噴射される洗浄水は、オリフィス部、スロート部での自然的変動に加え、洗浄水圧力変動部４８により強制的変動により乱される。
したがって、人体は、より刺激感のある洗浄を味わうことができる。
【００７８】
図１３は、前述の実施例とは別の実施例であって、特に、共振室６０を備えたものである。前述した実施例と同じ構成については、図に同じ符号を付している。
【００７９】
この実施例によれば、共振室６０が設けられており、オリフィス部１２の出口から洗浄水が噴射されると、オリフィス部１２の周囲（つまり共振室６０）が負圧になる。この共振室６０が負圧になると、スロート部１５から噴射される洗浄水を該共振室６０側に引っ張る力として作用し、結果として洗浄水は円錐状に拡がって吐水される。
そして、共振室６０の負圧力が大きくなると、スロート部１５の出口付近の大気が該共振室６０に引き込まれるようになる。大気が共振室６０に引き込まれると、該共振室が正圧になり、オリフィス部１２から噴射された洗浄水は円錐状に拡がることなく、まとまった細い直線状の噴流となって吐水される。
このように、共振室６０を設けることにより、円錐状の吐水と直線状の吐水が繰り返し行われる（いわゆる自己発振現象が起こる）。このような吐水が局部に衝突した場合、人体は円錐状の吐水の時には、たっぷり感を、直線状の吐水の時には刺激感のある洗浄を味わうことができるのである。
【図面の簡単な説明】
【図１】 本発明の一実施の形態を示す人体局部洗浄装置のノズル部
【図２】 人体局部洗浄装置のノズル部先端の断面図
【図３】 ノズルの気液混合促進手段を説明する、スロート部の模式的な断面図
【図４】 （ａ）は、給水路８が給水室１０の中心に向かって接続されている図、（ｂ）は、給水路８が給水室１０の中心から偏心して接続されている（つまり、給水路８と給水室１０とが洗浄水旋回部を構成する）図
【図５】 図４（ａ）に示す実施例を実際に試作し、洗浄水を吐水させた際の荷重を測定したデータ
【図６】 オリフィス部の出口の断面積Ｓ１とスロート部の断面積Ｓ２との面積比Ｓ２／Ｓ１と、噴出された洗浄水が局部に当たった時のピーク荷重との関係
【図７】 図１の人体局部洗浄ノズルを備えた人体局部洗浄装置の水回路
【図８】 ノズル本体４４の伸縮状態を説明するための説明図
【図９】 人体局部洗浄装置の水回路を構成する部位の動作を示すタイミングチャート
【図１０】 請求項３、４に対応する実施例
【図１１】 請求項５に対応する実施例
【図１２】 請求項６に対応する実施例
【図１３】 共振室を備えた別の実施例
【図１４】 従来の人体局部洗浄ノズルの断面図
【符号の説明】
１…本ノズル、２…第１ノズル、３…ノズル本体、４…空洞、５…噴射口、６…噴射口、７…空気吸入口、８…給水路、１２…オリフィス部、１３…空気吸引部、１３Ａ…空気取入口、１５…スロート部、１５ａ…突起（気液混合促進手段）、１８…可変部、１９…オリフィス回転部、２０…給水接続部、２２…逆止弁、２４…ストレーナ、２６…調圧弁、３０…主流路電磁弁、３２…胴体洗浄電磁弁、３４…リリーフ弁、３６…熱交換器、３８…真空破壊弁、４０…流調弁（絞り弁）、４２…切替弁、４４…ノズル本体、４５…反射板、４６…ノズル伸縮駆動モータ、４８…洗浄水圧力変動部、６０…共振室
【図１】
0004984363.tif 000002
【図２】
0004984363.tif 000003
【図３】
0004984363.tif 000004
【図４】
0004984363.tif 000005
【図５】
0004984363.tif 000006
【図６】
0004984363.tif 000007
【図７】
0004984363.tif 000008
【図８】
0004984363.tif 000009
【図９】
0004984363.tif 000010
【図１０】
0004984363.tif 000011
【図１１】
0004984363.tif 000012
【図１２】
0004984363.tif 000013
【図１３】
0004984363.tif 000014
【図１４】
0004984363.tif 000015